(57)【特許請求の範囲】
【請求項１】
上下動自在な可動部と、この可動部の上方又は下方に配設される固定部とを有する第１、第２、第３、第４脚部と、
互いに対向配置される一対の第１のＸ字脚と、
互いに対向配置される一対の第２のＸ字脚と、
前記第１、第２、第３、第４脚部の可動部又は固定部に設けられる座面部と、
手摺りと、を備え、
前記第１、第２のＸ字脚は、中心部同士が軸支される第１、第２の脚を各々有し、
一方の前記第１のＸ字脚の第１の脚は、一端部が前記第１脚部の可動部の上端部に回動自在に取り付けられ、他端部が前記第１脚部の隣の前記第２脚部の固定部に回動自在に取り付けられ、
前記一方の第１のＸ字脚の第２の脚は、一端部が前記第２脚部の可動部の上端部に回動自在に取り付けられ、他端部が前記第１脚部の固定部に回動自在に取り付けられ、
他方の前記第１のＸ字脚の第１の脚は、一端部が前記第１脚部の対角に位置する前記第３脚部の可動部の上端部に回動自在に取り付けられ、他端部が前記第２脚部の対角に位置する前記第４脚部の固定部に回動自在に取り付けられ、
前記他方の第１のＸ字脚の第２の脚は、一端部が前記第４脚部の可動部の上端部に回動自在に取り付けられ、他端部が前記第３脚部の固定部に回動自在に取り付けられ、
一方の前記第２のＸ字脚の第１の脚は、一端部が前記第４脚部の可動部の下端部に回動自在に取り付けられ、他端部が前記第１脚部の固定部に回動自在に取り付けられ、
前記一方の第２のＸ字脚の第２の脚は、一端部が前記第１脚部の可動部の下端部に回動自在に取り付けられ、他端部が前記第４脚部の固定部に回動自在に取り付けられ、
他方の前記第２のＸ字脚の第１の脚は、一端部が前記第２脚部の可動部の下端部に回動自在に取り付けられ、他端部が前記第３脚部の固定部に回動自在に取り付けられ、
前記他方の第２のＸ字脚の第２の脚は、一端部が前記第３脚部の可動部の下端部に回動自在に取り付けられ、他端部が前記第２脚部の固定部に回動自在に取り付けられており、
前記手摺りは、一端部が前記第３、第４脚部の可動部の上端部に回動自在に設けられ、他端部が前記第１、第２脚部の上端部に着脱自在にされており、
前記手摺りの一端部は、折り畳み時に、当該手摺りの他端部が前記第１、第２脚部に沿って位置するように湾曲しており、
前記手摺りの他端部の先端部には、折り畳み時に、前記第１、第２脚部を把持する把持部が設けられていることを特徴とする折り畳み椅子。
【請求項２】
上下動自在な可動部と、この可動部の上方又は下方に配設される固定部とを有する第１、第２、第３、第４脚部と、
中心部同士が交差する第１、第２、第３、第４の傾斜脚と、
第１、第２、第３、第４の傾斜脚の中心部を各々傾動可能に保持する保持部と、
前記第１、第２、第３、第４脚部の可動部又は固定部に設けられる座面部と、
手摺りと、を備え、
前記第１の傾斜脚は、一端部が前記第１脚部の可動部に、他端部が前記第１脚部の対角に位置する前記第３脚部の固定部に回動自在に取り付けられ、
前記第２の傾斜脚は、一端部が前記第３脚部の可動部に、他端部が前記第１脚部の固定部に回動自在に取り付けられ、
前記第３の傾斜脚は、一端部が前記第１脚部の隣の前記第２脚部の可動部に、他端部が前記第２脚部の対角に位置する前記第４脚部の固定部に回動自在に取り付けられ、
前記第４の傾斜脚は、一端部が前記第４脚部の可動部に、他端部が前記第２脚部の固定部に回動自在に取り付けられており、
前記保持部は、前記第１、第３の傾斜脚の一端部の間の距離と前記第１、第４の傾斜脚の一端部の間の距離とが異なるように、前記第１、第２、第３、第４の傾斜脚を保持しており、
前記手摺りは、一端部が前記第３、第４脚部の可動部の上端部に回動自在に設けられ、他端部が前記第１、第２脚部の上端部に着脱自在にされており、
前記手摺りの一端部は、折り畳み時に、当該手摺りの他端部が前記第１、第２脚部に沿って位置するように湾曲しており、
前記手摺りの他端部の先端部には、折り畳み時に、前記第１、第２脚部を把持する把持部が設けられていることを特徴とする折り畳み椅子。
【請求項３】
請求項２記載の折り畳み椅子において、
前記保持部は、前記第１、第２、第３、第４の傾斜脚の傾斜方向に延びており且つ前記第１、第２、第３、第４の傾斜脚が通される４つの長孔を有することを特徴とする折り畳み椅子。
【発明の詳細な説明】
【技術分野】
【０００１】
本発明はアウトドア等で用いられる折り畳み椅子に関する。
【背景技術】
【０００２】
この種の折り畳み椅子としては、４つのＸ字脚の第１、第２の脚の一端部が４本の脚部の可動部に回動自在に取り付けられる一方、前記Ｘ字脚の第１、第２の脚の他端部が４本の脚部の固定部に回動自在に取り付けられている。４つのＸ字脚は、前記可動部が前記脚部に沿って各々上下動することにより、第１、第２の脚が開閉するようになっている（特許文献１参照）。
【０００３】
【特許文献１】特開平０９−１０３３３５号公報
【発明の開示】
【発明が解決しようとする課題】
【０００４】
ところが、４つのＸ字脚は、その幅寸法（即ち、４本の脚部の間の距離）が同じになってしまう。このため、４本の脚部の可動部に保持される座面部の形状が正方形になってしまう。このように座面部が正方形であると、座面部の幅を十分に取る一方、当該座面部の奥行きが大きくなり過ぎる又は、座面部の奥行きを適切な寸法とする一方、座面部の幅が小さくなってしまう等の不具合が生じる。
【０００５】
本発明は、上記事情に鑑みて創案されたものであって、その目的とするところは、長方形の座面部を用いることができる折り畳み椅子を提供することにある。
【課題を解決するための手段】
【０００６】
上記課題を解決するために、本発明の折り畳み椅子は、上下動自在な可動部と、この可動部の上方又は下方に配設される固定部とを有する第１、第２、第３、第４脚部と、互いに対向配置される一対の第１のＸ字脚と、互いに対向配置される一対の第２のＸ字脚と、前記第１、第２、第３、第４脚部の可動部又は固定部に設けられる座面部と、手摺りと、を備え、前記第１、第２のＸ字脚は、中心部同士が軸支される第１、第２の脚を各々有し、一方の前記第１のＸ字脚の第１の脚は、一端部が前記第１脚部の可動部の上端部に回動自在に取り付けられ、他端部が前記第１脚部の隣の前記第２脚部の固定部に回動自在に取り付けられ、前記一方の第１のＸ字脚の第２の脚は、一端部が前記第２脚部の可動部の上端部に回動自在に取り付けられ、他端部が前記第１脚部の固定部に回動自在に取り付けられ、他方の前記第１のＸ字脚の第１の脚は、一端部が前記第１脚部の対角に位置する前記第３脚部の可動部の上端部に回動自在に取り付けられ、他端部が前記第２脚部の対角に位置する前記第４脚部の固定部に回動自在に取り付けられ、前記他方の第１のＸ字脚の第２の脚は、一端部が前記第４脚部の可動部の上端部に回動自在に取り付けられ、他端部が前記第３脚部の固定部に回動自在に取り付けられ、一方の前記第２のＸ字脚の第１の脚は、一端部が前記第４脚部の可動部の下端部に回動自在に取り付けられ、他端部が前記第１脚部の固定部に回動自在に取り付けられ、前記一方の第２のＸ字脚の第２の脚は、一端部が前記第１脚部の可動部の下端部に回動自在に取り付けられ、他端部が前記第４脚部の固定部に回動自在に取り付けられ、他方の前記第２のＸ字脚の第１の脚は、一端部が前記第２脚部の可動部の下端部に回動自在に取り付けられ、他端部が前記第３脚部の固定部に回動自在に取り付けられ、前記他方の第２のＸ字脚の第２の脚は、一端部が前記第３脚部の可動部の下端部に回動自在に取り付けられ、他端部が前記第２脚部の固定部に回動自在に取り付けられており、前記手摺りは、一端部が前記第３、第４脚部の可動部の上端部に回動自在に設けられ、他端部が前記第１、第２脚部の上端部に着脱自在にされており、前記手摺りの一端部は、折り畳み時に、当該手摺りの他端部が前記第１、第２脚部に沿って位置するように湾曲しており、前記手摺りの他端部の先端部には、折り畳み時に、前記第１、第２脚部を把持する把持部が設けられている。
【０００７】
このような折り畳み椅子による場合、一対の第１のＸ字脚の第１、第２の脚の一端部が可動部の上端部に回動自在に取り付けられる一方、一対の第２のＸ字脚の第１、第２の脚の一端部が可動部の下端部に回動自在に取り付けられるようになっている。このため、一対の第１のＸ字脚の幅寸法と一対の第２のＸ字脚の幅寸法とが異なる長さとなる（即ち、２つの脚部の間の距離と、前記２つの脚部のうちの一方と、当該一方の脚部と隣り合う脚部との間の距離とが異なる長さとなる）ので、座面部を長方形とすることができる。従って、座面部の幅と奥行きとを好適な寸法とすることが可能なる。
しかも、前記手摺りの一端部は、折り畳み時に、当該手摺りの他端部が前記第１、第２脚部に沿って位置するように湾曲しているため、前記手摺りの他端部を第１、第２脚部の上端部から取り外し、その先端部の把持部に前記第１、第２脚部を把持させることができる。このため、折り畳み椅子の折り畳み時、手摺りが揺動するのを防止することができ、折り畳み椅子の持ち運びが容易になる。
【０００８】
本発明の別の折り畳み椅子は、上下動自在な可動部と、この可動部の上方又は下方に配設される固定部とを有する第１、第２、第３、第４脚部と、中心部同士が交差する第１、第２、第３、第４の傾斜脚と、第１、第２、第３、第４の傾斜脚の中心部を各々傾動可能に保持する保持部と、前記第１、第２、第３、第４脚部の可動部又は固定部に設けられる座面部と、手摺りと、を備え、前記第１の傾斜脚は、一端部が前記第１脚部の可動部に、他端部が前記第１脚部の対角に位置する前記第３脚部の固定部に回動自在に取り付けられ、前記第２の傾斜脚は、一端部が前記第３脚部の可動部に、他端部が前記第１脚部の固定部に回動自在に取り付けられ、前記第３の傾斜脚は、一端部が前記第１脚部の隣の前記第２脚部の可動部に、他端部が前記第２脚部の対角に位置する前記第４脚部の固定部に回動自在に取り付けられ、前記第４の傾斜脚は、一端部が前記第４脚部の可動部に、他端部が前記第２脚部の固定部に回動自在に取り付けられており、前記保持部は、前記第１、第３の傾斜脚の一端部の間の距離と前記第１、第４の傾斜脚の一端部の間の距離とが異なるように、前記第１、第２、第３、第４の傾斜脚を保持しており、前記手摺りは、一端部が前記第３、第４脚部の可動部の上端部に回動自在に設けられ、他端部が前記第１、第２脚部の上端部に着脱自在にされており、前記手摺りの一端部は、折り畳み時に、当該手摺りの他端部が前記第１、第２脚部に沿って位置するように湾曲しており、前記手摺りの他端部の先端部には、折り畳み時に、前記第１、第２脚部を把持する把持部が設けられている。
【０００９】
このような折り畳み椅子による場合、第１及び第２の傾斜脚が対角に位置する脚部の間に配置される一方、第３及び第４の傾斜脚が別の対角に位置する脚部の間に配置されるようになっている。また、第１、第２、第３、第４の傾斜脚は、第１、第３の傾斜脚の一端部の間の距離と第１、第４の傾斜脚の一端部の間の距離とが異なるように保持部に保持されている。即ち、２つの脚部の間の距離と、前記２つの脚部のうちの一方と当該一方の脚部と隣り合う脚部との間の距離とが異なる長さとなるので、座面部を長方形とすることができる。従って、座面部の幅と奥行きとを好適な寸法とすることが可能なる。
しかも、前記手摺りの一端部は、折り畳み時に、当該手摺りの他端部が前記第１、第２脚部に沿って位置するように湾曲しているため、前記手摺りの他端部を第１、第２脚部の上端部から取り外し、その先端部の把持部に前記第１、第２脚部を把持させることができる。このため、折り畳み椅子の折り畳み時、手摺りが揺動するのを防止することができ、折り畳み椅子の持ち運びが容易になる。
【００１２】
前記保持部は、前記第１、第２、第３、第４の傾斜脚の傾斜方向に延びており且つ前記第１、第２、第３、第４の傾斜脚が通される４つの長孔を有していることが好ましい。この場合、４つの長孔の幅方向の両内壁面が第１、第２、第３、第４の傾斜脚の中心部を傾斜可能に保持するので、折り畳み椅子の展開時に、第１、第２、第３、第４の傾斜脚がぐらつくのを防止することができる。
【発明を実施するための最良の形態】
【００１３】
以下、本発明の実施の形態に係る折り畳み椅子について説明する。
【実施例１】
【００１４】
まず、本発明の第１の実施の形態に係る折り畳み椅子について図面を参照しつつ説明する。図１は本発明の第１の実施の形態に係る折り畳み椅子を示す図であって、（ａ）が正面図、（ｂ)が背面図、図２は同椅子を示す図であって、（ａ）が側面図、（ｂ）が底面図、図３が同椅子の脚部構造を示す概略的斜視図、図４が（ａ）が同椅子の折り畳み過程を示す図、（ｂ）が同椅子の折り畳んだ状態を示す図である。
【００１５】
図１及び図２に示す折り畳み椅子は、２本の前側脚部１００ａ（第１、第２脚部）と、２本の後側脚部１００ｂ（第３、第４脚部）と、この前側脚部、後側脚部１００ａ、１００ｂの間に配置される４つのＸ字脚２００と、前側脚部、後側脚部１００ａ、１００ｂに取り付けられる座面部３００と、２本の後側脚部１００ｂに取り付けられる背もたれシート４００と、前側脚部１００ａと後側脚部１００ｂとの間に設けられる２つの手摺り５００とを備えている。以下、各部を詳しく説明する。
【００１６】
Ｘ字脚２００は、図１、図２及び図３に示すように、角柱状の第１、第２の脚２１０ａ、２１０ｂが中心部同士で軸支され、開閉自在になっている。両側面側のＸ字脚２００（一対の第２のＸ字脚）は、第１、第２の脚２１０ａ、２１０ｂの長さが、前側及び後側のＸ字脚２００（一対の第１のＸ字脚）の第１、第２の脚２１０ａ、２１０ｂの長さよりも短くなっている。
【００１７】
２本の前側脚部１００ａは、図１、図２及び図３に示すように、円柱状のポールである。この前側脚部１００ａは、当該前側脚部１００ａに上下動自在に外環する長尺の筒状体である前側可動部１１０ａと、この前側可動部１００ａの下方に配設される前側固定部１２０ａと各々を有している。
【００１８】
一方の前側可動部１１０ａの上端部には、前側のＸ字脚２００の第１の脚２１０ａの一端部が回動自在に取り付けられる上側回動支持部１１１ａ１が他方の前側脚部１００ａに向けて設けられている。一方の前側可動部１１０ａの下端部には、一側面側のＸ字脚２００の第２の脚２１０ｂの一端部が回動自在に取り付けられる下側回動支持部１１１ａ２が一方の後側脚部１００ｂに向けて設けられている。
【００１９】
他方の前側可動部１１０ａの上端部には、前側のＸ字脚２００の第２の脚２１０ｂの一端部が回動自在に取り付けられる上側回動支持部１１１ａ１が一方の前側脚部１００ａに向けて設けられている。他方の前側可動部１１０ａの下端部には、他の側面側のＸ字脚２００の第１の脚２１０ａの一端部が回動自在に取り付けられる下側回動支持部１１１ａ２が他方の後側脚部１００ｂに向けて設けられている。
【００２０】
一方の前側固定部１２０ａは、他方の前側脚部１００ａに向けて設けられており且つ前側のＸ字脚２００の第２の脚２１０ｂの他端部が回動自在に取り付けられる第１の回動支持部１２１ａと、一方の後側脚部１００ｂに向けて設けられており且つ一側面側のＸ字脚２００の第１の脚２１０ａの他端部が回動自在に取り付けられる第２の回動支持部１２２ａとを有している。
【００２１】
他方の前側固定部１２０ａは、一方の前側脚部１００ａに向けて設けられており且つ前側のＸ字脚２００の第１の脚２１０ａの他端部が回動自在に取り付けられる第１の回動支持部１２１ａと、他方の後側脚部１００ｂに向けて設けられており且つ他の側面側のＸ字脚２００の第２の脚２１０ｂの他端部が回動自在に取り付けられる第２の回動支持部１２２ａとを有している。
【００２２】
２本の後側脚部１００ｂは、図１、図２及び図３に示すように、前側脚部１００ａよりも長い円柱状のポールである。この後側脚部１００ｂは、当該後側脚部１００ｂに上下動自在に外環する長尺の筒状体である後側可動部１１０ｂと、この後側可動部１００ｂの下方に配設される後側固定部１２０ｂと、後側可動部１１０ｂの上方に配設される手摺り支持部１３０ｂとを各々有している。
【００２３】
一方の後側可動部１１０ｂの上端部には、後側のＸ字脚２００の第２の脚２１０ｂの一端部が回動自在に取り付けられる上側回動支持部１１１ｂ１が他方の後側脚部１００ｂに向けて設けられている。一方の後側可動部１１０ｂの下端部には、一側面側のＸ字脚２００の第１の脚２１０ａの一端部が回動自在に取り付けられる下側回動支持部１１１ｂ２が一方の前側可動部１１０ａに向けて設けられている。
【００２４】
他方の後側可動部１１０ｂの上端部には、後側のＸ字脚２００の第１の脚２１０ａの一端部が回動自在に取り付けられる上側回動支持部１１１ｂ１が一方の後側脚部１００ｂに向けて設けられている。他方の後側可動部１１０ｂの下端部には、他の側面側のＸ字脚２００の第２の脚２１０ｂの一端部が回動自在に取り付けられる下側回動支持部１１１ｂ２が他方の前側可動部１１０ａに向けて設けられている。
【００２５】
一方の後側固定部１２０ｂは、他方の後側脚部１００ｂに向けて設けられており且つ後側のＸ字脚２００の第１の脚２１０ａの他端部が回動自在に取り付けられる第１の回動支持部１２１ｂと、一方の前側可動部１１０ａに向けて設けられており且つ一側面側のＸ字脚２００の第２の脚２１０ｂの他端部が回動自在に取り付けられる第２の回動支持部１２２ｂとを有している。
【００２６】
他方の後側固定部１２０ｂは、一方の後側脚部１００ｂに向けて設けられており且つ後側のＸ字脚２００の第２の脚２１０ｂの他端部が回動自在に取り付けられる第１の回動支持部１２１ｂと、他方の前側可動部１１０ａに向けて設けられており且つ他の側面側のＸ字脚２００の第１の脚２１０ａの他端部が回動自在に取り付けられる第２の回動支持部１２２ｂとを有している。
【００２７】
各手摺り支持部１３０ｂは、図２及び図４に示すように、後側脚部１００ｂに前側脚部１００ａに向けて上下動自在に設けられている。この手摺り支持部１３０ｂが手摺り５００の一端部を回動自在に支持するようになっている。
【００２８】
座面部３００は略長方形のシートである。この座面部３００の４つの角部が２つの前側可動部１１０ａ及び後側可動部１１０ｂに各々取り付けられる。このようにして座面部３００が２本の前側脚部、後側脚部１００ａ、１００ｂに取り付けられる。
【００２９】
背もたれシート４００は、２本の後側脚部１００ｂに被せられる袋体４１０と、この袋体４１０の下端部と座面部３００の後端部とに接続される接続シート４２０とを有している。
【００３０】
各手摺り５００は、側面視略Ｌ字状の樹脂部材である。この手摺り５００の一端部が後側脚部１００ｂの手摺り支持部１３０ｂに回動自在に支持される。手摺り５００の他端部には、下方に向けて凸の円筒状の嵌合凹部５１０と、この嵌合凹部５１０の他端側に位置する把持部５２０とが設けられている。
【００３１】
嵌合凹部５１０は前側脚部１００ａの上端部が嵌合するようになっている。
【００３２】
把持部５２０は略Ｕ字状のフックであって、前側脚部１００ａを把持可能になっている。
【００３３】
以下、このような構成の折り畳み椅子の折り畳み方法について詳しく説明する。まず、図４（ａ）に示すように、手摺り５００の他端部を上方に向けて移動させる。すると、手摺り５００の嵌合凹部５１０と前側脚部１００ａの上端部との嵌合が外れる。
【００３４】
その後、２本の前側脚部１００ａと２本の後側脚部１００ｂとを互いに近づく方向に向けて移動させる。すると、前側のＸ字脚２００の第１、第２の脚２１０ａ、２１０ｂの一端部が２つの前側可動部１１０ａの上側回動支持部１１１ａ１上で回動しつつ、当該前側可動部１１０ａと共に、２本の前側脚部１００ａに沿って上方へ移動する。後側のＸ字脚２００の第１、第２の脚２１０ａ、２１０ｂの一端部が２つの後側可動部１１０ｂの上側回動支持部１１１ｂ１上で回動しつつ、当該後側可動部１１０ｂと共に、２本の後側脚部１００ｂに沿って上方へ移動する。両側面側のＸ字脚２００の第１、第２の脚２１０ａ、２１０ｂの一端部が、後側可動部１１０ｂの下側回動支持部１１１ｂ２、前側可動部１１０ａの下側回動支持部１１１ａ２上で回動しつつ、当該後側可動部１１０ｂ、前側可動部１１０ａと共に、後側脚部１００ｂ、前側脚部１００ａに沿って上方へ移動する。このとき、２つの手摺り支持部１３０ｂが、２つの後側可動部１１０ｂと共に、上方に移動する。
【００３５】
その一方、前側のＸ字脚２００の第１、第２の脚２１０ａ、２１０ｂの他端部が２つの前側固定部１２０ａの第１の回動支持部１２１ａ上で回動する。後側のＸ字脚２００の第１、第２の脚２１０ａ、２１０ｂの他端部が２つの後側固定部１２０ｂの第１の回動支持部１２１ｂ上で回動する。両側面側のＸ字脚２００の第１、第２の脚２１０ａ、２１０ｂの他端部が、前側固定部１２０ａの第２の回動支持部１２２ａ、後側固定部１２０ｂの第２の回動支持部１２２ｂ上で回動する。これにより、４つのＸ字脚２００の第１、第２の脚２１０ａ、２１０ｂが閉じる。
【００３６】
その後、手摺り５００の一端部が回動し、その他端部が自重により下方に移動する。そして、手摺り５００の他端部が、図４（ｂ）に示すように、前側脚部１００ａに沿う。
【００３７】
その後、手摺り５００の把持部５２０に前側脚部１００ａを嵌め込む、当該把持部５２０に前側脚部１００ａを把持させる。このようにして前記折り畳み椅子が折り畳まれる。
【００３８】
以下、このような構成の折り畳み椅子の展開方法について詳しく説明する。まず、手摺り５００の他端部を前方に向けて移動させる。すると、手摺り５００の把持部５２０の前側脚部１００ａに対する把持が外れる。
【００３９】
その後、２本の前側脚部１００ａと２本の後側脚部１００ｂとを互いに離れる方向に向けて移動させる。すると、前側のＸ字脚２００の第１、第２の脚２１０ａ、２１０ｂの一端部が２つの前側可動部１１０ａの上側回動支持部１１１ａ１上で回動しつつ、当該前側可動部１１０ａと共に、２本の前側脚部１００ａに沿って下方へ移動する。後側のＸ字脚２００の第１、第２の脚２１０ａ、２１０ｂの一端部が２つの後側可動部１１０ｂの上側回動支持部１１１ｂ１上で回動しつつ、当該後側可動部１１０ｂと共に、２本の後側脚部１００ｂに沿って下方へ移動する。両側面側のＸ字脚２００の第１、第２の脚２１０ａ、２１０ｂの一端部が、後側可動部１１０ｂの下側回動支持部１１１ｂ２、前側可動部１１０ａの下側回動支持部１１１ａ２上で回動しつつ、当該後側可動部１１０ｂ、前側可動部１１０ａと共に、後側脚部１００ｂ、前側脚部１００ａに沿って下方へ移動する。このとき、２つの手摺り支持部１３０ｂが、２つの後側可動部１１０ｂと共に、下方に移動する。
【００４０】
その一方、前側のＸ字脚２００の第１、第２の脚２１０ａ、２１０ｂの他端部が２つの前側固定部１２０ａの第１の回動支持部１２１ａ上で回動する。後側のＸ字脚２００の第１、第２の脚２１０ａ、２１０ｂの他端部が２つの後側固定部１２０ｂの第１の回動支持部１２１ｂ上で回動する。両側面側のＸ字脚２００の第１、第２の脚２１０ａ、２１０ｂの他端部が、前側固定部１２０ａの第２の回動支持部１２２ａ、後側固定部１２０ｂの第２の回動支持部１２２ｂ上で回動する。これにより、４つのＸ字脚２００の第１、第２の脚２１０ａ、２１０ｂが開く。
【００４１】
その後、手摺り５００の一端部を回動させつつ、その他端部の嵌合凹部５１０を前側脚部１００ａの上端部上に位置させる。その後、手摺り５００の嵌合凹部５１０に前側脚部１００ａの上端部を嵌め込む。このようにして前記折り畳み椅子が展開される。
【００４２】
このような折り畳み椅子による場合、前側、後側のＸ字脚２００の第１、第２の脚２１０ａ、２１０ｂの一端部が前側可動部１１０ａ、後側可動部１１０ｂの上端部に回動自在に取り付けられる一方、両側面側のＸ字脚２００の第１、第２の脚２１０ａ、２１０ｂの一端部が前側可動部１１０ａ、後側可動部１１０ｂの下端部に回動自在に取り付けられている。このため、前側、後側のＸ字脚２００の幅寸法（即ち、２本の前側脚部１００ａの間の距離α）が、両側面側のＸ字脚２００の幅寸法（即ち、前側脚部１００ａと後側脚部１００ｂとの間の距離β）よりも長くなっている。従って、座面部３００を、幅寸法が大きく且つ奥行きが前記幅寸法よりも小さい好適な寸法の長方形とすることが可能になる。その結果、座り心地の良い折り畳み椅子を得ることができる。
【００４３】
なお、上記折り畳み椅子は、上下動自在な可動部と、この可動部の上方又は下方に配設される固定部とを有する４本の脚部と、互いに対向配置される一対の第１のＸ字脚と、
互いに対向配置される一対の第２のＸ字脚と、４本の脚部の可動部又は固定部に設けられる座面部と、を備え、第１、第２のＸ字脚は、中心部同士が軸支される第１、第２の脚を各々有し、一方の第１のＸ字脚の第１の脚は、一端部が一の脚部の可動部の上端部に回動自在に取り付けられ、他端部が前記一の脚部の隣の脚部の固定部に回動自在に取り付けられ、一方の第１のＸ字脚の第２の脚は、一端部が前記隣の脚部の可動部の上端部に回動自在に取り付けられ、他端部が前記一の脚部の固定部に回動自在に取り付けられ、他方の第１のＸ字脚の第１の脚は、一端部が前記一の脚部の対角に位置する別の脚部の可動部の上端部に回動自在に取り付けられ、他端部が前記隣の脚部の対角に位置する他の脚部の固定部に回動自在に取り付けられ、他方の第１のＸ字脚の第２の脚は、一端部が前記他の脚部の可動部の上端部に回動自在に取り付けられ、他端部が前記別の脚部の固定部に回動自在に取り付けられ、一方の第２のＸ字脚の第１の脚は、一端部が前記他の脚部の可動部の下端部に回動自在に取り付けられ、他端部が前記一の脚部の固定部に回動自在に取り付けられ、一方の第２のＸ字脚の第２の脚は、一端部が前記一の脚部の可動部の下端部に回動自在に取り付けられ、他端部が前記他の脚部の固定部に回動自在に取り付けられ、他方の第２のＸ字脚の第１の脚は、一端部が前記隣の脚部の可動部の下端部に回動自在に取り付けられ、他端部が前記別の脚部の固定部に回動自在に取り付けられ、他方の第２のＸ字脚の第２の脚は、一端部が前記別の脚部の可動部の下端部に回動自在に取り付けられ、他端部が前記一の脚部の固定部に回動自在に取り付けられている限り任意に設計変更することが可能である。
【００４４】
前側脚部１００ａについては、円柱状のポールであるであるとしたが、棒状である限りどのようなもの用いても構わない。後側脚部１００ｂについても同様である。後側脚部１００ｂの長さ寸法は、背もたれシート４００を設けない場合には、前側脚部１００ａと同じにすることが可能である。
【００４５】
前側可動部１１０ａ及び後側可動部１１０ｂについては、前記前側脚部及び後側脚部に沿って上下動可能であって、その上端部に第１のＸ字脚の第１又は第２の脚の一端部が回動自在に取り付けられる一方、下端部に第２のＸ字脚の第２又は第１の脚の一端部が回動自在に取り付けられるものである限り任意に設計変更することが可能である。
【００４６】
前側固定部１２０ａ及び後側固定部１２０ｂについては、前記前側脚部及び後側脚部に設けられ、Ｘ字脚の第１又は第２の脚の他端部が回動自在に取り付けられるものである限り任意に設計変更することが可能である。
【００４７】
座面部３００については、可動部又は固定部に設けられ、人が座ることができるものである限り任意に設計変更することが可能である。例えば、前記座面部としては可動部又は固定部に着脱自在に支持される板体等を用いることができる。
【００４８】
手摺り５００については設けるか否かは任意である。
【実施例２】
【００４９】
次に、本発明の第２の実施の形態に係る折り畳み椅子について図面を参照しつつ説明する。図５は本発明の第２の実施の形態に係る折り畳み椅子を示す図であって、（ａ）が正面図、（ｂ）が背面図、図６は同椅子を示す図であって、（ａ）が側面図、（ｂ）が底面図、図７は（ａ）が同椅子の脚部構造を示す展開状態を示す模式的斜視図、（ｂ）が同椅子の傾斜脚の中心部及び保持部の収束状態を示す模式的斜視図、図８が（ａ）が同椅子の折り畳み過程を示す図、（ｂ）が同椅子の折り畳んだ状態を示す図である。
【００５０】
図５及び図６に示す折り畳み椅子は、４つのＸ字脚２００の代わりに、中心部同士が交差する第１、第２、第３、第４の傾斜脚６００ａ、６００ｂ、６００ｃ、６００ｄ及び  第１、第２、第３、第４の傾斜脚６００ａ、６００ｂ、６００ｃ、６００ｄの中心部を各々傾動可能に保持する保持部７００とを備えている点、及び前側脚部、後側脚部１００ａ、１００ｂの前側可動部１１０ａ、前側固定部１２０ａ、後側可動部１１０ｂ、後側固定部１２０ｂの形状の点で実施例１の折り畳み椅子と相違している。以下、その相違点を詳しく説明し、重複する部分の説明は省略する。
【００５１】
なお、新たな構成部材である第１、第２、第３、第４の傾斜脚については、新たな符号６００ａ、６００ｂ、６００ｃ、６００ｄを付す。同様に、保持部についても、新たな符号７００を付す。前側可動部１１０ａ、前側固定部１２０ａ、後側可動部１１０ｂ、後側固定部１２０ｂについては、’を付して実施例１と区別する。その他の構成部材については同じ符号を使用する。
【００５２】
第１、第２、第３、第４の傾斜脚６００ａ、６００ｂ、６００ｃ、６００ｄは、円柱状のパイプである。
【００５３】
一方の前側可動部１１０ａ’は一方の前側可動部１１０ａよりも長い筒状体である。一方の前側可動部１１０ａ’の上端部には、第１の傾斜脚６００ａの一端部が回動自在に取り付けられる一方の回動支持部１１１ａ’が一方の前側脚部１００ａの対角に位置する他方の後側脚部１００ｂに向けて設けられている。
【００５４】
他方の前側可動部１１０ａ’は他方の前側可動部１１０ａよりも長い筒状体である。他方の前側可動部１１０ａ’の上端部には、第３の傾斜脚６００ｃの一端部が回動自在に取り付けられる他方の回動支持部１１１ａ’が他方の前側脚部１００ａの対角に位置する一方の後側脚部１００ｂに向けて設けられている。
【００５５】
一方の前側固定部１２０ａ’は、他方の後側脚部１００ｂに向けて設けられており且つ第２の傾斜脚６００ｂの他端部が回動自在に取り付けられる一方の回動支持部１２１ａ’を有している。
【００５６】
他方の前側固定部１２０ａ’は、一方の後側脚部１００ｂに向けて設けられており且つ第４の傾斜脚６００ｄの他端部が回動自在に取り付けられる他方の回動支持部１２１ａ’を有している。
【００５７】
一方の後側可動部１１０ｂ’は、一方の後側可動部１１０ｂよりも長い筒状体である。この一方の後側可動部１１０ｂ’の上端部には、第４の傾斜脚６００ｄの一端部が回動自在に取り付けられる一方の回動支持部１１１ｂ’が他方の前側脚部１００ａに向けて設けられている。
【００５８】
他方の後側可動部１１０ｂ’は、他方の後側可動部１１０ｂよりも長い筒状体である。他方の後側可動部１１０ｂ’の上端部には、第２の傾斜脚６００ｂの一端部が回動自在に取り付けられる他方の回動支持部１１１ｂ’が一方の前側脚部１００ａに向けて設けられている。
【００５９】
手摺り支持部１３０ｂ’は、後側可動部１１０ｂ’の上端部に一体的に設けられている。手摺り支持部１３０ｂ’のその他の構成は手摺り支持部１３０ｂと略同じである。
【００６０】
一方の後側固定部１２０ｂは、他方の前側脚部１００ａに向けて設けられており且つ第３の傾斜脚６００ｃの他端部が回動自在に取り付けられる一方の回動支持部１２１ｂ’を有している。
【００６１】
他方の後側固定部１２０ｂは、一方の前側脚部１００ａに向けて設けられており且つ第１の傾斜脚６００ａの他端部が回動自在に取り付けられる他方の回動支持部１２１ｂ’を有している。
【００６２】
保持部７００は、第１、第３の傾斜脚６００ａ、６００ｃの一端部の間の距離αが第１、第４の傾斜脚６００ａ、６００ｄの一端部の間の距離βよりも大きくなるように、第１、第２、第３、第４の傾斜脚６００ａ、６００ｂ、６００ｃ、６００ｄを保持する略矩形状の樹脂製の板状体である。
【００６３】
この保持部７００は、第１、第２、第３、第４の傾斜脚６００ａ、６００ｂ、６００ｃ、６００ｄの傾斜方向に向けて設けられており且つ第１、第２、第３、第４の傾斜脚６００ａ、６００ｂ、６００ｃ、６００ｄが通される４つの長孔７１０を有している。
【００６４】
各長孔７１０は、第１、第２、第３、第４の傾斜脚６００ａ、６００ｂ、６００ｃ、６００ｄの傾斜方向に向いた楕円形状の第１、第２の開口部７１１、７１２と、第１、第２の開口部７１１、７１２の間の内周面（即ち、長孔７１０の内周面）に設けられるテーパ部７１３とを有している。
【００６５】
第１の開口部７１１は、幅方向が第１、第２、第３、第４の傾斜脚６００ａ、６００ｂ、６００ｃ、６００ｄの径よりも若干大きくなっている。
【００６６】
第２の開口部７１２は、長さ寸法が第１の開口部７１１よりも短く且つ当該第１の開口部７１１の長さ方向の一端部の下方に偏在している。第２の開口部７１２の幅方向は、第１の開口部７１１と同じである。
【００６７】
テーパ部７１３は、第１の開口部７１１の他端側の縁部から第２の開口部７１２の他端側の縁部に向けて漸次増大するようになっている。
【００６８】
以下、このような構成の接続装置の組み立て手順について説明する。まず、図８（ａ）に示すように、手摺り５００の他端部を上方に向けて移動させる。すると、手摺り５００の嵌合凹部５１０と前側脚部１００ａの上端部との嵌合が外れる。
【００６９】
その後、２本の前側脚部１００ａと２本の後側脚部１００ｂとを互いに近づく方向に向けて移動させる。すると、第１、第３の傾斜脚６００ａ、６００ｃの一端部が、前側可動部１１０ａ’の回動支持部１１１ａ’上で各々回動しつつ、当該前側可動部１１０ａ’と共に、前側脚部１００ａに沿って上方へ移動する。また、第２、第４の傾斜脚６００ｂ、６００ｄの一端部が２つの後側可動部１１０ｂ’の回動支持部１１１ｂ’上で各々回動しつつ、当該後側可動部１１０ｂ’と共に、後側脚部１００ｂに沿って上方に移動する。その一方、第１、第３の傾斜脚６００ａ、６００ｃの他端部が前側固定部１２０ａ’の回動支持部１２１ａ’上で各々回動し、第２、第４の傾斜脚６００ｂ、６００ｄの他端部が後側固定部１２０ｂ’の回動支持部１２１ｂ’上で各々回動する。
【００７０】
このとき、１、第２、第３、第４の傾斜脚６００ａ、６００ｂ、６００ｃ、６００ｄが、保持部７００の４つの長孔７１０内を傾動する。
【００７１】
その後、手摺り５００の一端部が回動し、その他端部が自重により下方に移動する。そして、手摺り５００の他端部が、図８（ｂ）に示すように、前側脚部１００ａに沿う。
【００７２】
その後、手摺り５００の把持部５２０に前側脚部１００ａを嵌め込む、当該把持部５２０に前側脚部１００ａを把持させる。このようにして前記折り畳み椅子が折り畳まれる。
【００７３】
以下、このような構成の折り畳み椅子の展開方法について詳しく説明する。まず、手摺り５００の他端部を前方に向けて移動させる。すると、手摺り５００の把持部５２０の前側脚部１００ａに対する把持が外れる。
【００７４】
その後、２本の前側脚部１００ａと２本の後側脚部１００ｂとを互いに離れる方向に向けて移動させる。すると、第１、第３の傾斜脚６００ａ、６００ｃの一端部が、前側可動部１１０ａ’の回動支持部１１１ａ’上で各々回動しつつ、当該前側可動部１１０ａ’と共に、前側脚部１００ａに沿って下方へ移動する。また、第２、第４の傾斜脚６００ｂ、６００ｄの一端部が２つの後側可動部１１０ｂ’の回動支持部１１１ｂ’上で各々回動しつつ、当該後側可動部１１０ｂ’と共に、後側脚部１００ｂに沿って下方に移動する。その一方、第１、第３の傾斜脚６００ａ、６００ｃの他端部が前側固定部１２０ａ’の回動支持部１２１ａ’上で各々回動し、第２、第４の傾斜脚６００ｂ、６００ｄの他端部が後側固定部１２０ｂ’の回動支持部１２１ｂ’上で各々回動する。
【００７５】
その後、手摺り５００の一端部を回動させつつ、その他端部の嵌合凹部５１０を前側脚部１００ａの上端部上に位置させる。その後、手摺り５００の嵌合凹部５１０に前側脚部１００ａの上端部を嵌め込む。このようにして前記折り畳み椅子が展開される。
【００７６】
このような折り畳み椅子による場合、第１、第２の傾斜脚６００ａ、６００ｂが対角に位置する前側脚部１００ａと後側脚部１００ｂとの間に配置される一方、第３、第４の傾斜脚６００ｃ、６００ｄが別の対角に位置する前側脚部１００ａと後側脚部１００ｂとの間に配置されるようになっている。また、第１、第２、第３、第４の傾斜脚６００ａ、６００ｂ、６００ｃ、６００ｄは、第１、第３の傾斜脚６００ａ、６００ｃの一端部の間の距離（即ち、２本の前側脚部１００ａの間の距離）が第１、第４の傾斜脚６００ｂ、６００ｄの一端部の間の距離（即ち、前側脚部１００ａと後側脚部１００ｂとの間の距離）よりも長くなるように保持部７００に保持されている。このため、座面部３００を、幅寸法が大きく且つ奥行きが前記幅寸法よりも小さい好適な寸法の長方形とすることが可能になる。その結果、座り心地の良い折り畳み椅子を得ることができる。
【００７７】
なお、上記折り畳み椅子は、上下動自在な可動部と、この可動部の上方又は下方に配設される固定部とを有する４本の脚部と、中心部同士が交差する第１、第２、第３、第４の傾斜脚と、第１、第２、第３、第４の傾斜脚の中心部を各々傾動可能に保持する保持部と、４本の脚部の可動部又は固定部に設けられる座面部と、を備え、第１の傾斜脚は、一端部が一の脚部の可動部に、他端部が前記一の脚部の対角に位置する別の脚部に回動自在に取り付けられ、第２の傾斜脚は、一端部が前記別の脚部の可動部に、他端部が前記一の脚部に回動自在に取り付けられ、第３の傾斜脚は、一端部が前記一の脚部の隣の脚部の可動部に、他端部が前記隣の脚部の対角に位置する他の脚部に回動自在に取り付けられ、第４の傾斜脚は、一端部が前記他の脚部の可動部に、他端部が前記隣の脚部に回動自在に取り付けられており、保持部は、第１、第３の傾斜脚の一端部の間の距離と第１、第４の傾斜脚の一端部の間の距離とが異なるように、第１、第２、第３、第４の傾斜脚を保持している限り任意に設計変更することが可能である。
【００７８】
前側脚部１００ａについては、円柱状のポールであるとしたが、棒状である限りどのようなもの用いても構わない。後側脚部１００ｂについても同様である。後側脚部１００ｂの長さ寸法は、背もたれシート４００を設けない場合には、前側脚部１００ａと同じにすることが可能である。
【００７９】
前側可動部１１０ａ’及び後側可動部１１０ｂ’については、前記前側脚部及び後側脚部に沿って上下動可能であり且つ第１、第２、第３又は第４の傾斜脚の一端部が回動自在に取り付けられるものである限り任意に設計変更することが可能である。
【００８０】
前側固定部１２０ａ’及び後側固定部１２０ｂ’については、前記前側脚部及び後側脚部に設けられ、第１、第２、第３又は第４の傾斜脚の他端部が回動自在に取り付けられるものである限り任意に設計変更することが可能である。
【００８１】
座面部３００については、可動部又は固定部に設けられ、人が座ることができるものである限り任意に設計変更することが可能である。例えば、前記座面部としては可動部又は固定部に着脱自在に支持される板体等を用いることができる。
【００８２】
手摺り５００については設けるか否かは任意である。
【００８３】
第１、第２、第３、第４の傾斜脚６００ａ、６００ｂ、６００ｃ、６００ｄは、円柱状のパイプであるとしたが、これに限定されるものではなく、棒状であればどのようなもの用いても構わない。
【００８４】
保持部７００については、第１、第３の傾斜脚の一端部の間の距離と第１、第４の傾斜脚の一端部の間の距離とが異なるように、第１、第２、第３、第４の傾斜脚を保持し得る限り任意に設計変更することが可能である。例えば、第１、第３の傾斜脚の一端部の間の距離と第１、第４の傾斜脚の一端部の間の距離とが異なるように、第１、第２、第３、第４の傾斜脚の中心部をピン等で軸支したりワイヤー等で縛ったりしても良い。
【００８５】
長孔７１０については、第１、第２、第３、第４の傾斜脚の傾斜方向に向けて設けられており且つ第１、第２、第３、第４の傾斜脚が通されるものであることが好ましいが、これに限定されるものではない。
【００８６】
なお、上記実施例では、座面部を、幅寸法が大きく且つ奥行きが前記幅寸法よりも小さい長方形とするとして説明したが、奥行きが大きく且つ幅寸法が前記奥行きよりも小さい長方形とすることも可能である。
【図面の簡単な説明】
【００８７】
【図１】本発明の第１の実施の形態に係る折り畳み椅子を示す図であって、（ａ）が正面図、（ｂ)が背面図である。
【図２】同椅子を示す図であって、（ａ）が側面図、（ｂ）が底面図である。
【図３】同椅子の脚部構造を示す概略的斜視図である。
【図４】（ａ）が同椅子の折り畳み過程を示す図、（ｂ）が同椅子の折り畳んだ状態を示す図である。
【図５】本発明の第２の実施の形態に係る折り畳み椅子を示す図であって、（ａ）が正面図、（ｂ)が背面図である。
【図６】同椅子を示す図であって、（ａ）が側面図、（ｂ）が底面図である。
【図７】（ａ）が同椅子の脚部構造を示す展開状態を示す模式的斜視図、（ｂ）が同椅子の傾斜脚の中心部及び保持部の収束状態を示す模式的斜視図である。
【図８】（ａ）が同椅子の折り畳み過程を示す図、（ｂ）が同椅子の折り畳んだ状態を示す図である。
【符号の説明】
【００８８】
１００ａ  前側脚部
１１０ａ    前側可動部
１２０ａ    前側固定部
１１０ａ’  前側可動部
１２０ａ’  前側固定部
１００ｂ  後側脚部
１１０ｂ    前側可動部
１２０ｂ    前側固定部
１１０ｂ’  前側可動部
１２０ｂ’  前側固定部
２００    Ｘ字脚
２１０ａ    第１の脚
２１０ｂ    第２の脚
３００    座面部
５００    手摺り
５２０      把持部
６００ａ  第１の傾斜脚
６００ｂ  第２の傾斜脚
６００ｃ  第３の傾斜脚
６００ｄ  第４の傾斜脚
７００    保持部
７１０    長孔
【図１】
0005079403.tif 000002
【図２】
0005079403.tif 000003
【図３】
0005079403.tif 000004
【図４】
0005079403.tif 000005
【図５】
0005079403.tif 000006
【図６】
0005079403.tif 000007
【図７】
0005079403.tif 000008
【図８】
0005079403.tif 000009